(57)【要約】【課題】  分離された調理器本体と天板組立体を電気的に接続する配線が短かく、配線仕舞及び配線の接続が容易かつ確実な加熱調理器を提供する。【解決手段】  上部に開口部を有し、発熱部１０ａ〜１０ｃ、この発熱部を制御する制御部、発熱部１０ａ〜１０ｃ、制御部等を冷却する送風機等が収容された調理器本体１と、枠体３１、枠体３１に保持された天板３３、枠体３１や天板３１に取付けられた部品組立体及び一端が部品組立体に接続された副リード線４７等からなり、調理器本体１の開口部に着脱可能に装着される天板組立体３０とを備え、この天板組立体３０の枠体３１に、蓋体４２を有し副リード線４７の他端に設けたたリード線接続具４８が引き出される配線取出し口３６を設けると共に、調理器本体１に、配線取出し口３６に対応してリード線接続具４８が収納される配線収納部６を設けた。【選択図】        図２
2005090882.tif 000002
【特許請求の範囲】
【請求項１】
上部に開口部を有し、発熱部、該発熱部を制御する制御部、前記発熱部、制御部等を冷却する送風機等が収容された調理器本体と、
枠体、該枠体に保持された天板、前記枠体や天板に取付けられた部品組立体及び一端が前記部品組立体に接続された副リード線等からなり、前記調理器本体の開口部に着脱可能に装着される天板組立体とを備え、
該天板組立体の枠体に、蓋体を有し前記副リード線の他端に設けたリード線接続具が引き出される配線取出し口を設けると共に、前記調理器本体に、前記配線取出し口に対応して前記リード線接続具が収納される配線収納部を設けたことを特徴とする加熱調理器。
【請求項２】
一端が前記制御部に接続された副リード線の他端に設けたリード線接続具を、前記配線収納部及び配線引出し口から引出すと共に、前記配線収納部に収納しうるようにしたことを特徴とする請求項１記載の加熱調理器。
【請求項３】
枠体、該枠体に保持された天板、前記枠体や天板に取付けられた部品組立体、一端が該部品組立体に接続された副リード線、発熱体及び一端が該発熱体に接続された主リード線等からなる天板組立体と、
前記発熱体を制御する制御部、該制御部等を冷却する送風機等が収容され、上部の開口部に前記天板組立体が着脱可能に装着される調理器本体とを備え、
前記天板組立体の枠体に、蓋体を有し前記副リード線及び主リード線の他端に設けたリード線接続具が引出される配線取出し口を設けると共に、前記調理器本体に、前記配線取出し口に対応して前記リード線接続具が収納される配線収納部を設けたことを特徴とする加熱調理器。
【請求項４】
一端が前記制御部に接続された副リード線及び主リード線の他端にそれぞれ設けたリード線接続具を、前記配線収納部及び配線取出し口から引出すと共に、前記配線収納部に収納しうるようにしたことを特徴とする請求項３記載の加熱調理器。
【請求項５】
前記天板組立体に設けた副リード線を、天板や枠体の下面に沿って配線したことを特徴とする請求項１〜４のいずれかに記載の加熱調理器。
【請求項６】
前記加熱調理器に設けた配線収納部に、前記副リード線に設けたリード線接続具、又は前記副リード線と主リード線にそれぞれ設けたリード線接続具を保持するホルダを設けたことを特徴とする請求項１〜５のいのずれかに記載の加熱調理器。
【請求項７】
前記天板組立体の配線取出し口の近傍に、前記調理器本体に設けた配線通過溝に嵌入しうる幅で、該天板組立体に配線されたリード線を保持するリード線保持部を設けたことを特徴とする請求項１〜６のいずれかに記載の加熱調理器。
【発明の詳細な説明】
【技術分野】
【０００１】
本発明は、加熱調理器に係り、さらに詳しくは、調理器本体と天板組立体とを分離可能に構成した加熱調理器に関するものである。
【背景技術】
【０００２】
この種の調理家具組立式調理器に、内部に加熱コイル、制御基板、送風機等を有し、上面にセラミックプレートが接着され、流し台のワークトップの開口部に落し込まれて固定されるトップヒータ部と、流し台のワークトップの下部に前面から挿入してトップヒータ部に固定されるロースター部と、同じくワークトップの前面から挿入してトップヒータ部に固定される操作部とからなり、トップヒータ部、ロースター部及び操作部に設けた接続コードによりこれらを電気的に接続するようにしたものがある（例えば、特許文献１参照）。
【特許文献１】特開平６−２８６３号公報（第３頁、図１）
【発明の開示】
【発明が解決しようとする課題】
【０００３】
特許文献１に記載された調理器を流し台に設置するにあたっては、先ず、トップヒータ部を流し台のワークトップの開口部に落し込んで固定し、次に、ロースター部の接続コードを操作部に接続してワークトップの前側から挿入し、トップヒータ部に固定する。ついで、操作部の接続コードをトップヒータ部の接続コードに接続してワークトップの前側から挿入し、トップヒータ部に固定しなけばならない。
【０００４】
このため、複数の接続コードを流し台の前面側に引き出して接続しなければならないので、接続コードが長くなり、その上接続作業が面倒である。また、接続コードの接続間違いを生じたり、ロースター部や操作部を流し台に組込む際、接続コードを流し台との間に挟み込んでしまうことがあり、さらに、流し台内でたるんだ接続コードを処理できないため、きわめて不安定な状態になっており、好ましくない。
【０００５】
本発明は、上記の課題を解決するためになされたもので、分離された調理器本体と天板組立体を電気的に接続する配線が短かく、配線処理及び配線の接続が容易かつ確実な加熱調理器を提供することを目的としたものである。
【課題を解決するための手段】
【０００６】
本発明に係る加熱調理器は、上部に開口部を有し、発熱部、該発熱部を制御する制御部、前記発熱部、制御部等を冷却する送風機等が収容された調理器本体と、枠体、該枠体に保持された天板、前記枠体や天板に取付けられた部品組立体及び一端が前記部品組立体に接続された副リード線等からなり、前記調理器本体の開口部に着脱可能に装着される天板組立体とを備え、該天板組立体の枠体に、蓋体を有し前記副リード線の他端に設けたリード線接続具が引き出される配線取出し口を設けると共に、前記調理器本体に、前記配線取出し口に対応して前記リード線接続具が収納される配線収納部を設けたものである。
【発明の効果】
【０００７】
本発明に係る加熱調理器は、分離された調理器本体と天板組立体とを電気的に接続する配線を短かくすることができ、配線処理及び配線の接続が簡単かつ確実で接続間違いを起こすことがなく、調理器本体への天板組立体の着脱を容易に行うことができる。
【発明を実施するための最良の形態】
【０００８】
［実施の形態１］
図１は本発明の実施の形態１に係る加熱調理器を流し台に組込んだ状態を示す斜視図、図２は図１の分解斜視図、図３は図２の天板組立体の背面斜視図である。
【０００９】
流し台６０に組込まれた調理器本体１は、上面が開口したほぼ箱状に形成されており、開口部側に設けた仕切り板２の上面周囲には外方に突出したフランジ状の周壁３が設けられている。そして、周壁３の後部の前面側には隔壁４が設けられて、この隔壁４と周壁３との間には、吸気口５ａ，５ｂと配線収納部６が設けられており、この配線収納部６の前面側には隔壁４が切除されて配線通過溝７が設けられている。８ａ，８ｂは仕切り板２に設けた冷却風の通気穴である。
【００１０】
１０ａ，１０ｂ，１０ｃは仕切り板２の上面に設置されたコイル台上に設けた、例えば誘導加熱コイルや発熱線等からなる発熱部、１１ａ，１１ｂ，１１ｃは発熱部１０ａ〜１０ｃの近傍に設けた表示ランプ等を有する表示部である。図には発熱部１０ａ〜１０ｃを３個設けた場合を示したが、１個又は２個でもよく、あるいは４個以上であってもよい。なお、図示していなが、仕切り板２の下側には、電気部品等が搭載されたプリント基板からなり、発熱部１０〜１０ｃの出力や温度等を制御する制御部、この制御部や仕切り板２上の発熱部１０ａ〜１０ｃ等を冷却する送風機等が設置されている。
【００１１】
そして、制御部から発熱部１０ａ〜１０ｃに通電（例えば、２００Ｖ）するリード線１３（以下、主リード線という）が仕切り板２に設けた開口部１２から引出されて各発熱部１０ａ〜１０ｃにそれぞれ接続され、また、制御部から後述の天板組立体に設けた天面操作部に設けた部品組立体に通電（例えば、制御部により１００Ｖ以下に低電圧化されている）するリード線１５（以下、副リード線という）は、先端部が配線収納部６から引出される。１６は副リード線１５に設けたリード線接続具である。
【００１２】
２１は流し台６０の前面側にセットされた調理器本体１の前面板で、一方の側には取っ手２３を有する引出し式のグリラー２２が設けられており、他方の側には電源スイッチ、タイマースイッチ等のスイッチ群２５、タイマー表示部２６等を有する操作部２４が設けられている。２７はグリラー２２の上部において、前面板２１に設けた複数の排気口である。
【００１３】
天板組立体３０は、調理器本体１の周壁３の外周に嵌合する周壁３２を有する枠体３１と、ガラス板、セラミックス板等からなり、枠体３１の下面に取付けられた天板３３とからなり、枠体３１の後部側には、周囲が凸壁３５に囲まれて調理器本体１の吸気口５ａ，５ｂに対応して設けられた天面吸気口３４と、周囲が凸壁３７に囲まれて調理器本体１の配線収納部６に対応して設けられた配線取出し口３６とが設けられている。３８は両側の周壁３２に、調理器本体１の周壁３の両側に設けたねじ穴２８に対応して設けたねじ挿通穴、３９は配線取出し口３の両側に、配線収納部６の両側に設けたねじ穴２９に対応して設けたねじ挿通穴である。
【００１４】
４０は開口部４１ａ，４１ｂを有し、天面吸気口３４の凸壁３５の外周に着脱自在に装着される断面コ字状の吸気口カバー、４２はほぼ凸字状に形成され、両側に枠体３１のねじ挿通穴３９に対応してねじ挿通穴４３が設けられ、配線取出し口３６の凸壁３７の外周に着脱可能に装着される蓋体である。
【００１５】
４４ａ，４４ｂ，４４ｃは天板３３に、調理器本体１の発熱部１０ａ〜１０ｃに対応して、印刷等により設けられた調理鍋等の載置部、４５ａ，４５ｂ，４５ｃは表示部１１ａ〜１１ｃに対向する位置に設けられた火力表示部、４６ａ，４６ｂ，４６ｃは枠体３１の前面側に、各載置部４４ａ〜４４ｃ（したがって各発熱部１０ａ〜１０ｃ）に対応して設けられた、火力調整スイッチ等からなる天面操作部である。
【００１６】
４７は天板組立体３０の背面側に、周壁３２に沿って天板３３上に配設された副リード線で、一端が天面操作部４６ａ〜４６ｃの火力調整スイッチや表示用ランプ等からなる部品組立体４９に接続され、他端に調理器本体１に設けた副リード線１５のリード線接続具１６に接続されるリード線接続具４８が設けられており、このリード線接続具４８は配線取出し口３６に出し入れ自在になっている。５０は副リード線４７を天板３３に固定するテープであるが、他の手段を用いてもよい。副リード線４７をこのように所定位置に配設し、かつ図４に示すように、配線通過溝７を通過させるようにしたので、隔壁４に挾まれることはない。このため、副リード線４７を短かくできるばかりでなく、不安定に垂れ下ることもない。
【００１７】
次に、上記のように構成した本実施の形態に係る加熱調理器の組立手順の一例について説明する。なお、調理器本体１は流し台６０に組込まれているものとし、また、天板組立体３０には副リード線４７が配線され、部品組立体４９が組込まれているものとする。
【００１８】
先ず、図２に示すように、調理器本体１の配線収納部６からリード線接続具１６を含む副リード線１５の一部を引き出しておく。ついで、天板組立体３０の配線取出し口３６からリード線接続具４８を含む副リード線４７の一部を引出した状態で、調理器本体１上に天板組立体３０を載置してその周壁３２を調理器本体１の周壁３の外周に嵌合すると共に、配線取出し口３６から調理器本体１のリード線接続具１６を含む副リード線１５の一部を引き出し、両リード線接続具１６，４８を接続する。このとき、図４に示すように、副リード線４７は配線通過溝７内に位置する。
【００１９】
ついで、天板組立体３０の周壁３２に設けたねじ挿通穴３８に挿通したビス５１を、調理器本体１の周壁３に設けたねじ穴２８に螺入して固定する。なお、天板組立体３０の調理器本体１への固定は、両リード線接続具１６，４８の接続前に行ってもよい。この状態で、配線取出し口３６の凸壁３７の外周に直接又はシール用パッキンを介して蓋体４２を嵌合し、ねじ挿通穴４３，３９に挿通したビス５１を調理器本体１のねじ穴２９に螺入し、固定する。これにより、水等の浸入を防止することができる。最後に吸気口カバー４０を天面吸気口３４の凸壁３５の外周に嵌合して装着する。これにより、調理器本体１への天板組立体３０の取付け及び副リード線１５，４７の接続が終了する。
【００２０】
この場合、図５（ａ）に示すように、調理器本体１の配線収納部６の側壁に、例えば平面ほぼＣ字状のホルダ５２を設け、天板組立体３０を取付ける前には、図５（ｂ）に示すように、このホルダ５２に調理器本体１側の副リード線１５のリード線接続具１６を保持させるようにすれば、リード線接続具１６を含む副リード線１５が調理器本体１内に落ち込んだりすることがなく、安定して保持することができ、また、配線収納部６からの引出しも容易である。
【００２１】
また、天板組立体３０の枠体３１の下面の配線取出し口３６の近傍（配線取出し口３６と天板３３との間）に、図６（ａ）に示すように、調理器本体１の隔壁４に設けた配線通過溝７内に嵌入しうる幅で、一対のガイド壁３６ｃを立設し、両ガイド壁３６ｃの間にリード線を保持する溝３６ｂが形成されたリード線保持部３６ａを設けてもよい。
そして、このリード線保持部３６ａの溝３６ｂ内に副リード線４７を通して（必要に応じてテープ等で固定してもよい）、天板組立体３０を調理器本体１に装着する際に、図６（ｂ）に示すように、副リード線４７が配置された状態でリード線保持部３６ａを配線通過溝７に嵌入するようにすれば、副リード線４７の位置決めが容易であるばかりでなく、副リード線４７が揺動するのを防止できる。この場合、図６（ｃ）に示すように、リード線保持部３６ａを中央に溝３６ｂを有するほぼ凹字状に形成してもよい。
【００２２】
また、天板組立体３０を調理器本体１に装着する際に、リード線保持部３６ａの溝３６ｂ内に挿入した副リード線４７が溝３６ｂの開口部から落下するおそれがある。これを防止するために、例えば、図６（ｄ），（ｅ）に示すように、溝３６ｂの開口部の幅ｇを、副リード線４７の外径より若干狭く形成し、リード線保持部３６ａの弾性を利用して副リード線４７を溝３６ｂ内に挿入するようにしもよい。
以上、リード線保持部３６ａの例について図示説明したが、これに限定するものではなく、適宜変更することができる。
【００２３】
天板３３が破損して交換する場合や、メンテナンスその他の理由により天板組立体３０を調理器本体１から取外す場合は、ビス５１を緩めて蓋体４２を取外し、リード線接続具１６，４８を配線取出し口３６から引き出して切り離す。そして、天板組立体３０の周壁３２のビス５１を緩めて引き抜けば、天板組立体３０を調理器本体１から簡単に取外すことができる。なお、上記の調理器本体１への天板組立体３０の取付け、取り外しの手順はその一例を示すもので、適宜変更することができる。
【００２４】
本実施の形態に係る加熱調理器の使用方法は従来の場合と同様であるが、調理中に送風機によって吸気口３４，５ａ，５ｂから吸引された外気は、仕切り板２の下に設けた制御部等を冷却したのち、一部が排気口２７から排気され、一部は通気口８ａから仕切り板２上に送られ、発熱部１０ａ〜１０ｃを冷却したのち通気口８ｂから再び仕切り板２の下方に送られて、排気口２７から排気される。
【００２５】
本実施の形態によれば、発熱部１０ａ〜１０ｃへの配線は調理器本体１内で行い、部品組立体４９（天面操作部４６ａ〜４６ｃ等）への配線は、調理器本体１の配線収納部６から引き出した副リード線１５と、天板組立体３０の背面に配線して配線取出し口３６から引き出した副リード線４７とを、天板組立体３０の外部で両者のリード線接続具１６，４８により接続して形成し、これらリード線接続具１６，４８等を配線収納部６内に収容して配線取出し口３６を蓋体４２により閉塞するようにしたので、配線が短かくて済むばかりでなく、配線処理及び配線の接続がきわめて容易かつ確実で、接続間違い等をおこすこともない。
【００２６】
また、これにより、調理器本体１への天板組立体３０の取付け、取外しをきわめて簡単に行うことができる。特に、家庭に設置された加熱調理器のサービス性が一段と向上する。さらに、配線取出し口３６の周囲に凸壁３７を設け、その外周に蓋体４２を嵌合して配線取出し口３６を閉塞するようにしたので、配線取出し口３６から調理器本体１内に水などが浸入するおそれもない。
【００２７】
［実施の形態２］
図７は本発明の実施の形態２に係る加熱調理器の調理器本体を流し台に組込んだ状態を示す斜視図、図８は天板組立体の背面斜視図である。なお、実施の形態１と同じ部分にはこれと同じ符号を付し、説明の一部を省略する。
実施の形態１では、調理器本体１に仕切り板２を設けてその下に制御部や送風機を配置し、仕切り板２の上に加熱部１０ａ〜１０ｃ等を設けた場合を示したが、本実施の形態においては、天板組立体３０に加熱部１０ａ〜１０ｃ等を設けたものである。
【００２８】
調理器本体１には仕切り板２が設けられておらず、制御部１７からのリード線接続具１４を含む主リード線１３、及びリード線接続具１６を含む副リード線１５が、配線収納部６から引出せるようになっている。この場合、配線収納部６の両側壁に、図５で示したようなホルダ５２を設けて、リード線接続具１４，１６をそれぞれ保持するようにしてもよい。なお、１８は送風機である。
【００２９】
一方、天板組立体３０の天板３３の下面には、周壁５６を有し、発熱部１０ａ〜１０ｃと表示部１１ａ〜１１ｃ（図示せず）が設けられた箱状の底板５５が着脱可能に組込まれている。そして、天板組立体３０の配線取出し口３６からは、天板３３の背面に配設され、一端が部品組立体４９に接続された副リード線４７の他端（図示してないが、リード線接続具４８が設けられている）が引き出されており、また、一端が加熱部１０ａ〜１０ｃに接続された主リード線５７の他端（図示してないが、リード線接続具５８が設けられている）が引出されている。この場合、天板組立体３０の配線取出し口３６と天板３３との間に、図６に示すようにリード線保持部３６ａを設け、このリード線保持部３６ａの溝３６ｂに副リード線４７及び主リード線５７を挿入すようにしてもよい。
【００３０】
本実施の形態における調理器本体１への天板組立体３０の取付け、取外しの手順は、実施の形態１の場合とほぼ同様である。しかし、天板組立体３０の取付け、取外しにあたっては、副リード線１５，４７のリード線接続具１６，４８と、主リード線１３，５７のリード線接続具１４，５８の両者を、それぞれ配線取出し口３６から引き出して接続する必要がある。なお、副リード線４７と主リード線５７は配線通過溝７に対向して配設されているので、組立時に配線通過溝７内を通過する。
この場合、主リード線１３，５７のリード線接続具１４，５８と、副リード線１５，４７のリード線接続具１６，４８とを、異なる色や大きさあるいは形状とすることにより、接続間違いを生ずることがない。
本実施の形態によれば、実施の形態１の場合とほぼ同様の効果を得ることができる。
【００３１】
［実施の形態３］
図９は本発明の実施の形態３に係る加熱調理器の斜視図である。なお、実施の形態１と同じ部分にはこれと同じ符号を付し、説明の一部を省略する。
実施の形態１，２では、本発明を流し台に組込んだいわゆる組込み式加熱調理器に実施した場合を示したが、本実施の形態は、流し台やテーブルなどの上に設置するいわゆる据置式加熱調理器に本発明を実施したものである。
【００３２】
本実施の形態においては、実施の形態１又は２に係る調理器本体１に、実施の形態１又は２に係る天板組立体３０を着脱可能に取付けたものである。なお、図には、火力表示部４５ａ〜４５ｂを天板組立体３０の枠体３１の前部側に設けた場合を示してあるが、天板３３に設けた載置部４４ａ〜４４ｃの近傍に設けてもよい。また、実施の形態１，２においても、火力表示部４５ａ〜４５ｂを天板組立体３０の枠体３１の前部側に設けてもよい。
本実施の形態においても、実施の形態１又は２とほぼ同様の効果を得ることができる。
【００３３】
上記の各実施の形態においては、配線収納部６及び配線取出し口３６を、調理器本体１及び天板組立体３０の後部側に設けた場合を示したが、前部側に設けてもよい。特に、火力表示部４５ａ〜４５ｂや天面操作部４６ａ〜４６ｂが前部側に設けられている場合は、これら配線収納部６及び配線取出し口３６を前面側に設けることにより、リード線をより短かくすることができ、また作業性を向上することができる。
以上、本発明の実施の形態について説明したが、各部の構造は図示のものに限定するものではなく、適宜変更することができる。
【図面の簡単な説明】
【００３４】
【図１】本発明の実施の形態１に係る加熱調理器を流し台に組込んだ状態を示す斜視図である。
【図２】図１の分解斜視図である。
【図３】図２の天板組立体の背面斜視図である。
【図４】図１の要部の断面図である。
【図５】図２の配線収納部の他の例の斜視図である。
【図６】図３の配線取出し口の近傍の他の例の斜視図及び断面図である。
【図７】本発明の実施の形態２に係る調理器本体を流し台に組込んだ状態を示す斜視図である。
【図８】実施の形態２の天板組立体の背面斜視図である。
【図９】本発明の実施の形態３に係る加熱調理器の斜視図である。
【符号の説明】
【００３５】
１  調理器本体、２  仕切り板、５ａ，５ｂ  吸気口、６  配線収納部、７  配線通過溝、８ａ，８ｂ  通気穴、１０ａ〜１０ｃ  発熱部、１３，５７  主リード線、１５，４７  副リード線、１４，１６，４８，５８  リード線接続具、２４  操作部、２７  排気口、３０  天板組立体、３１  枠体、３３  天板、３６  配線取出し口、３６ａ  リード線保持部、４０  吸気口カバー、４２  蓋体、４５ａ〜４５ｃ  火力表示部、４６ａ〜４６ｃ  天面操作部、４９  部品組立体、５２  ホルダ、５５  底板、６０  流し台。
【図１】
2005090882.tif 000003
【図２】
2005090882.tif 000004
【図３】
2005090882.tif 000005
【図４】
2005090882.tif 000006
【図５】
2005090882.tif 000007
【図６】
2005090882.tif 000008
【図７】
2005090882.tif 000009
【図８】
2005090882.tif 000010
【図９】
2005090882.tif 000011